(57)【要約】      （修正有）【課題】性能が安定し、外観が良く、丈夫な構造でコストが大幅に安くできるワイヤーセンサーを提供する。【解決手段】２本のワイヤー４１とコントローラーをループ状に敷設し、２本のワイヤー４１が引っ張られてパイプ４３の中のマグネットリードスイッチ４５がパイプの外のマグネット４４に近づくと回路が開き、警報回路が働き警報を出したり電波を出して通報するものであり、取り扱いが簡単である。【選択図】図４
0003166909.tif 000002
【実用新案登録請求の範囲】
【請求項１】
コントローラーとそれをループ状に接続する複数の電線からなり電線を切ったり引っ張ることにより電源が入っているすべてのコントローラーが作動し、警報を出したり、電波で通報する仕組みの警報装置において引っ張りばねとマグネットリードスイッチをパイプの中に収納した構造のワイヤーセンサー。
【請求項２】
「請求項１」において往復２本の電線の間にネットを装着し、土砂や小石を容易に感知できる構造のワイヤーセンサー。
【請求項３】
「請求項１」「請求項２」において電線の途中に傾斜センサーを取り付けて電線の引っ張りや持ち上げにより容易に感知できる構造のワイヤーセンサー。
【考案の詳細な説明】
【技術分野】
【産業上の利用分野】
【０００１】▲１▼  マンションや公共施設の外壁から侵入する盗難事件や犯罪を抑止するための外壁防犯センサーとして利用する。従来の製品ではコスト高で使用が難しいところでも比較的簡単に安価に取り付けができる。又、光電センサーでは設置が難しい形状の場所でも電線ホルダーを設置することにより簡単に対応できる。
▲２▼  農産物盗難防止装置として使用する。サクランボ、ナシ、ブドウ、スイカ畑等に侵入し農産物を盗む事件が毎年のように発生している。又、クマ、サル、イノシシ等の動物による食い荒らしによる農産物被害も毎年発生している。本装置はＡＣ電源がない場所にも設置できる。
▲３▼  土砂崩れ検知装置として利用する。土砂崩れや落石は毎年のように発生し人々や家屋に大きな被害をもたらしている。
本装置は比較的安いコストで簡単に設置できＡＣ電源を必要としないので山奥でも設置できる長所があり、産業上の利用範囲は大きく広がることが期待できる。
【背景技術】
【０００２】従来より外壁に設置する防犯装置として、赤外線センサーがある。このセンサーは、赤外線の送受信によりその間の障害物を検知して防犯や防災に使用している。しかしながら落ち葉や鳥、動物によってもたらされる誤作動は防ぐことができない。又、歪曲した場所では何台もの装置を設置するため高価なものとなる。又、ＡＣ１００Ｖ電源が必要であり工事費用も高価となる。
その他の外壁センサー、ワイヤー式センサーとして、光ケーブルを使用したものがある。これは専用ケーブルのコストが高くコントローラーも高価でＡＣ１００Ｖ電源が必要なもので大規模の施設に使用されているのが一般的である。
【考案が解決しようとしている課題】
【０００３】本装置は実用新案登録番号：第３１１２６９６号の改良である。
同案（図４（ａ）（ｂ）参照）ではマグネットスイッチ（符号２９）を使用し、１回動作後自動復帰する構造であるが復帰方法として巻き取りばね（符号２８）を利用した構造で、ケースの外部にマグネット（符号３０）とマグネットリードスイッチ（符号２９）を装着した構造である。
この構造の欠点として、外部にリードスイッチを設置するため、いたずらされたり、壊れやすい構造欠陥があった。またマグネットリードスイッチを取り付ける台をコントローラーケース外部に設けるためコスト高となっていた。
【０００４】図４（ｃ）（ｄ）は改良した内部構造の図である。本案は１本のパイプ（符号４３）の中に引っ張りばね（符号４６）とマグネットリードスイッチ（符号４５）を収納し、パイプには動作時にリードスイッチがぶれないようなガイド溝を設けパイプの外側にマグネット（符号４４）を取り付けて電線（符号４１）が引っ張られてリードスイッチがマグネットに近づくと働くように改良したものである。これにより製作コストが大幅に低下し、また、コントローラーケース内に収まるためいたずらされることもなく故障も少なくなる。
【課題を解決するための手段】
【０００５】すなわち  ［図４］の（ｄ）のごとく、外から電線が引っ張られるとパイプの中の引っ張りばねが伸び、マグネットリードスイッチがマグネット近づくとスイッチがＯＦＦになり断線状態となって警報回路が働く仕組みである。又、常時閉のマグネットリードスイッチではマグネットを常時近づけておいてマグネットリードスイッチを常時閉の状態にしておき電線が外部から引っ張られるとマグネットリードスイッチがパイプの外側のマグネットから離れていき磁界が弱くなった位置で開の状態になる、すなわち断線状態となって、警報回路が働く仕組みとなる。
【考案の効果】
【０００６】本考案により、動作部がケース内に収まり性能は安定し、外観が良くなり、丈夫な構造となり、コストは大幅に安くできる。
【考案を実施するための最良の形態】
【０００７】  図１（ａ）において侵入者（符号１）が塀を乗り越えようとして電線を引っ張るとコントローラー（符号２）が働いて警報が出たり電波で人に知らせる想像図である。
図２（ｂ）は土砂崩れで土砂や石（符号６）が上から落ちてきたときネット（符号８）に引っ掛かり上下の電線を引っ張り、コントローラー（符号１０）が動作し、警報が出たり携帯電話通報装置（符号１１）がはたらき人に知らせる想像図である。【０００８】  図２はワイヤーセンサーのブロック図である。
３つのコントローラーからなりそれぞれが１本の電線でつながっており電線がどこか１か所でも引っ張られたり断線すると警報回路が働き警報出力が出るブロック図である。
図３（ａ）は３台のコントローラーを組み合わせたワイヤーセンサーの動作回路図の１例である。
図３（ｂ）は１台のコントローラーのワイヤーセンサーの動作回路図の１例である。【０００９】  図４は従来のコントローラーと本案のコントローラーの内部構造の比較である。（ａ）は従来のコントローラー（符号３５）の平常時、（ｂ）は動作時の内部構造である。すなわち平常時はリードスイッチ（符号２９）がマグネットに近く、スイッチが働いていない状態であるが電線が引っ張られるとマグネットリードスイッチが離れていき電気回路が開く状態となる。図４（ｃ）は改良された本案のコントローラーの平常時の内部構造図、（ｄ）は動作時のコントローラーの内部構造図である。改良点は従来の巻き取りばねがなくなり、引っ張りばね（符号４６）に置き換えている。またコントローラーの外にあったマグネットをコントローラーの中に収め、１本のパイプ（符号４３）の中に引っ張りばねとマグネットリードスイッチ（符号４５）を収めてリードスイッチの電線が引っ張られるとばねが伸びてパイプの外にあるマグネット（符号４４）に近づき、リードスイッチが働き回路が開く仕組みになっている。
パイプには案内溝が切ってありマグネットリードスイッチが容易にぶれて誤作動しないようになっている。【００１０】  図５はネット（符号５０）を併用した利用例である。
泥棒（符号４８）がネットの下から農園に侵入しようとすると下の電線が引っ張られてコントローラー（符号５１）の警報回路が働く想像図である。
図６はネットと傾斜センサーを併用したものである。
（ａ）  平常時であり、（ｂ）は下の電線が動物によって持ち上げられた時、傾斜センサー（符号６０）が働いて警報回路が働くしくみの想像図である。【００１１】図８は歪曲した地形に設置した平面図である。複数のコントローラー（符号６１）を図のように設置することにより広いエリアでも歪曲した地形でも設置が可能となる。
【図面の簡単な説明】
【００１２】
【図１】  本考案の使用イメージ図である。
【図２】  本考案の動作のブロック図である。
【図３】  本考案の動作回路の一例である。
【図４】  従来のコントローラー内部と本案のコントローラー内部の比較図である。
【図５】  ネットを併用した設置例である。
【図６】  傾斜スイッチを併用した動作原理図である。
【図７】  変形地形における設置例（平面図）である。
【符号の説明】
【０００１３】１，４８        泥棒、侵入者
２，１０        コントローラー
３，７，１６，２３，３１，４１，４９，５３，５７，５９，６２          電線
４，９，２７    電線ホルダー
５，            外壁
６，            土砂や石
８，５０，５４  ネット
１１，          携帯電話送信機
１２，          携帯電話基地局
１３，２１，２８  警報器
１４，３２，３８  制御基板
１５，２０，３３  電池
１７，２４      センサー接点又はコネクター
１９            電源スイッチ
２２            トランジスタまたはＩＣ
２６            滑車
２９，４５      リードスイッチ
３０，４４      マグネット
３４            マグネット支持台
３６            電源線
３７            警報出力線
３９            コントローラーふた
４２            電線ガイド
４３            パイプ
４６            引っ張りばね
４７            電池
５５，６０              傾斜センサー
５６，５８      金属球
【図１】
0003166909.tif 000003
【図２】
0003166909.tif 000004
【図３】
0003166909.tif 000005
【図４】
0003166909.tif 000006
【図５】
0003166909.tif 000007
【図６】
0003166909.tif 000008
【図７】
0003166909.tif 000009
【手続補正書】
【提出日】平成23年1月26日(2011.1.26)
【手続補正１】
【補正対象書類名】実用新案登録請求の範囲
【補正対象項目名】全文
【補正方法】変更
【補正の内容】
【実用新案登録請求の範囲】
【請求項１】
警報装置の一部を構成するためのワイヤーセンサーであって、
コントローラーケースと、該コントローラーケース内に収容されたパイプと、該パイプ内に収容され、かつ該パイプの軸線方向に移動可能に配設されたマグネットリードスイッチと、上記パイプ内に収容され、かつ一端が上記マグネットリードスイッチに接続され、他端が固定された引っ張りばねと、上記マグネットリードスイッチに接続され、かつ上記引っ張りばねとは反対側の方向に向かって上記コントローラーケースの外へと延びる電線と、上記コントローラーケース内であってかつ上記パイプの外側の地点に固定して配設されたマグネットとを含み、
上記電線が切断または引っ張られた場合、上記マグネットリードスイッチが上記マグネットに近づくかまたは遠ざかることによって、上記マグネットリードスイッチが作動して、警報装置を働かせるように構成されたことを特徴とするワイヤーセンサー。
【請求項２】
上記電線が、往路の電線と復路の電線とからなるループ状に形成されるとともに、上記往路の電線と上記復路の電線の間にネットが装着されており、
上記ネットに土砂や小石が落ちてきたときに、上記電線が切断または引っ張られて、警報装置が働き、土砂や小石を容易に感知できるように構成してなる請求項１に記載のワイヤーセンサー。
【請求項３】
上記電線の途中に、傾斜させるとスイッチが作動するように構成された傾斜センサーが取り付けられており、上記電線を引っ張るかまたは持ち上げることによって、上記傾斜センサーが傾斜して、上記傾斜センサーのスイッチが作動し、警報装置が働くように構成してなる請求項１又は２に記載のワイヤーセンサー。
【手続補正２】
【補正対象書類名】明細書
【補正対象項目名】０００７
【補正方法】変更
【補正の内容】
【０００７】
図１（ａ）において侵入者（符号１）が塀を乗り越えようとして電線を引っ張るとコントローラー（符号２）が働いて警報が出たり電波で人に知らせる想像図である。
図１（ｂ）は土砂崩れで土砂や石（符号６）が上から落ちてきたときネット（符号８）に引っ掛かり上下の電線を引っ張り、コントローラー（符号１０）が動作し、警報が出たり携帯電話通報装置（符号１１）がはたらき人に知らせる想像図である。
【手続補正３】
【補正対象書類名】明細書
【補正対象項目名】００１１
【補正方法】変更
【補正の内容】
【００１１】
図７は、歪曲した地形に本発明のワイヤーセンサーを設置した状態を示す平面図である。複数のコントローラー（符号６１）を図のように設置することにより、広いエリアでも歪曲した地形でも設置が可能となる。